(57)【要約】【課題】両手を使わずに杖やステッキを簡易的に身の回りに吊り掛けておくことのできる携帯用杖吊掛具の提供する。【解決手段】腰ベルトや肩掛かばんに着脱可能な杖吊掛具本体２と、該本体２に設けられ、かつ杖やステッキを吊り掛けるフック体３，４とを設けた。【選択図】  図１
2004290648.tif 000002
【特許請求の範囲】
【請求項１】
腰ベルトや肩掛かばんなどに着脱可能な杖吊掛具本体と、該本体に設けられ、かつ杖やステッキを吊り掛けるフック体とを備えていることを特徴とする携帯用杖吊掛具。
【請求項２】
フック体が杖吊掛具本体に折畳み可能に支持されていることを特徴とする請求項１に記載の携帯用杖吊掛具。
【請求項３】
杖吊掛具本体が前壁部と後壁部とこれら前壁部と後壁部を連結する上方連結部とでなる側面視逆Ｕ字状を呈し、前壁部の両端下部に一対のフック体が前方倒伏位置と前壁部に沿う格納起立位置とに揺動可能に支持されていることを特徴とする請求項２に記載の携帯用杖吊掛具。
【発明の詳細な説明】
【０００１】
【発明の属する技術分野】
本発明は、両手を使わずに杖やステッキを身の回りに吊り掛けておく携帯用杖吊掛具に関する。
【０００２】
【従来の技術】
身体の不自由な人や、お年寄りで杖やステッキなどを使用している人は多い。杖やステッキは歩行しているときには使うが、立ち止まり両手を使うときには杖やステッキが邪魔になる。たとえば切符を買うとき、店でお金を支払うとき、自動販売機で物を購入するときなど普段歩行の際にはなくてはならない杖やステッキがとても邪魔で、ただでさえ身体が不自由で動作が遅いのに、杖やステッキを持ったまま財布からお金を出して支払いをすることは大変な作業である。たとえ何かに杖やステッキを立て掛けたとしても安定が悪く滑って倒れることが多い。一旦倒れてしまうと身体が不自由なので、しゃがんで杖やステッキを拾い上げることはとても困難であったり、不可能であったりする。
【０００３】
そこで、従来では、たとえば杖の上部に輪状のひもを取り付け、両手を使うときひもに腕を通して腕で杖を吊り下げ保持し、その保持状態でポケットやハンドバックなどから財布などを取り出したり、財布からお金を出して支払いをしたりするようにしている。
【０００４】
【発明が解決しようとする課題】
しかし、杖の上部に輪状のひもを取り付けたものでは、ひもに腕を通して使用することから、腕に杖の重さがかかるばかりか、杖は長くぶらぶらして邪魔にななる。そのため、ハンドバックやポケットから財布などを取り出したり、財布からお金を出して支払いをしたりするといった作業がたいへん面倒で、ときには作業に支障をきたす問題を有していた。
【０００５】
そこで、本発明は、上記した問題を解決するために、両手を使わずに杖やステッキを簡易的に身の回りに吊り掛けておくことのできる携帯用杖吊掛具の提供を課題とする。
【０００６】
【課題を解決するための手段】
上記した課題を解決するために、本願の請求項１に記載の発明は、腰ベルトや肩掛かばんなどに着脱可能な杖吊掛具本体と、該本体に設けられ、かつ杖やステッキを吊り掛けるフック体とを備えていることを特徴とする。
【０００７】
また、本願の請求項２に記載の発明は、請求項１におけるフック体が杖吊掛具本体に折畳み可能に支持されていることを特徴とする。
【０００８】
さらに、本願の請求項３に記載の発明は、請求項２における杖吊掛具本体が杖吊掛具本体が前壁部と後壁部とこれら前壁部と後壁部を連結する上方連結部とでなる側面視逆Ｕ字状を呈し、前壁部の両端下部に一対のフック体が前方倒伏位置と前壁部に沿う格納起立位置とに揺動可能に支持されていることを特徴とする。
【０００９】
【発明の実施の形態】
以下、本発明の実施の形態を図面に基づいて説明する。
図１は、本発明に係る携帯用杖吊掛具を示すもので、該杖吊掛具１は、左右一対の前壁部２１，２１と左右一対の後壁部２２，２２とこれら前壁部２１，２１と後壁部２２，２２を連結する上方連結部２３とでなる側面視逆Ｕ字状を呈する杖吊掛具本体２と、該本体２の前壁部２１，２１の下端部に前方倒伏位置（水平位置）と前壁部２１，２１に沿う格納起立位置とに折畳み可能に支持される一対のフック体３，４とを備えている。
【００１０】
杖吊掛本体２は側面視逆Ｕ字状を呈しているので、該本体２の後壁部２２，２２を後述する腰ベルトや肩掛かばんの開口部などに差し込ませることにより、杖吊掛具２を腰ベルトや肩掛かばんなどに着脱自在に取り付けられるようになっている。また、前壁部２１，２１には、フック体３，４が格納起立位置に位置するとき、フック体３，４に設けられる後述する爪部３ａ，４ａが入り込む穴部２１ｂ，２１ｂが形成されている。
【００１１】
フック体３，４はピン５，６を介して前方倒伏位置と格納起立位置との間で揺動可能に支持されている。各フック体３，４の先端上部には、杖やステッキなどの握り柄の脱落を防止するための引っ掛かり用爪部３ａ，４ａが一体的に上方に向かって突設されている。
【００１２】
次に、以上のように構成される携帯用杖吊掛具１の作用について説明する。
携帯用杖吊掛具１を用いる際には、まず、図３に示すように保持具本体２の後壁部２２，２２を腰ベルトＢの内側に差し込む。これにより杖吊掛具１は、上方連結部２３を介して腰ベルトＢに装着される。その場合、普段は一対のフック体３，４を図２に示すように格納起立位置に折畳んでおく。これにより、歩行や適宜動作を行なう場合に杖吊掛具１が邪魔になったり妨げになるのを防止できる。
【００１３】
そして、たとえば切符を券売場で購入したり或いは買物などで支払いを行なう場合には、図１に示すように一対のフック体３，４を格納起立位置から前方倒伏位置に倒し、杖Ｔの握り柄部分Ｔ１をフック体３，４に引っ掛けて吊り掛ける。このとき、杖Ｔの握り柄部分Ｔ１はフック体３，４の爪部３ａ，４ａに引っ掛かるので、杖Ｔがふらつくことがあっても握り柄Ｔ１のフック体３，４からの脱落が防止できる。これにより杖Ｔは杖吊掛具１を介して腰ベルトＢに吊り掛けられた状態が維持されるので両手が自由に使えることになる。その結果、切符を券売場で購入するときや買物などで支払いを行なう場合に、その両手を自由に使って必要な作業が簡単容易にかつ迅速に行なうことができる。
【００１４】
上記した実施の形態では、杖吊掛具本体２の前壁部２１に穴部２１ｂ，２１ｂを設け、一対のフック体３，４を格納位置に折畳んだとき、フック体３，４の爪部３ａ，４ａを上記穴部２１ｂ，２１ｂに入り込ませるように構成したので、杖吊掛具１をより嵩低くコンパクトに折り畳むことができる。
【００１５】
なお、以上の実施の形態では、軽量化を図るため、左右一対の前壁部２１，２１と左右一対の後壁部２２，２２とで構成したけれども、一つ前壁部と一つの後壁部とで構成するようにしてもよいことは勿論である。また、一対のフック体３，４を用いて杖Ｔを吊り下げ支持するようにしたけれども、たとえば、一つのコ字形状或いはＣ字形状などのフック体（図示せず）を用いてもよい。さらに、フック体３，４は上述した実施の形態のように格納位置に折畳み可能な構成にする他、前壁部２１にフック体３，４を一体に設けて折畳み不能とした構成であってもよい。その場合、フック体３，４の前方への突出量を短く抑えるのが好ましい。
【００１６】
【発明の効果】
以上のように本発明の携帯用杖吊掛具によれば、腰ベルトや肩掛かばんに着脱可能な杖吊掛具本体と、該本体に設けられ、かつ杖やステッキを吊り掛けるフック体とを備えているから、該杖吊掛具をたとえば腰ベルトに装着したうえで、フック体に杖やステッキを吊り掛けることにより、杖やステッキを両手を使うことなく身の回りに簡易的に吊り掛けておくことができる。その結果、たとえば切符を券売場で購入するときや買物などで支払いを行なう場合に、両手を自由に使って支払いなどの適宜作業が簡単容易にかつ迅速に行なうことができる。
【００１７】
また、フック体を杖吊掛具本体に折畳み可能に支持するようにすれば、普段はフック体を格納位置に嵩低く折畳んでたとえば腰ベルトに装着しておくことができ、フック体を歩行や適宜動作を行なう場合に杖吊掛具が邪魔にならないようにできるので好ましい。
【００１８】
さらに、杖吊掛具本体が杖吊掛具本体が前壁部と後壁部とこれら前壁部と後壁部を連結する上方連結部とでなる側面視逆Ｕ字状を呈し、前壁部の両端下部に一対のフック体が前方倒伏位置と前壁部に沿う格納起立位置とに揺動可能に支持するようにすれば、携帯用杖吊掛具を使用する場合、たとえば、保持具本体の後壁部をたとえば腰ベルトの内側に差し込むだけで携帯用杖吊掛具を腰ベルトに容易に装着することができ、しかも、普段は一対のフック体を前壁部に沿う格納起立位置に嵩低く折畳んでおくことができながら、切符を券売場で購入したり或いは買物などで支払いを行なう場合には、一対のフック体を格納起立位置から前方倒伏位置に倒すだけで、杖の握り柄部分をフック体に迅速かつ容易に引っ掛けて吊り掛けることができる。その結果、普段は携帯用杖吊掛具が邪魔にならず、切符を券売場で購入するときや買物などで支払いを行なう場合には、上記杖吊掛具に杖を迅速かつ容易に吊り掛けて両手を自由に使って必要な作業が簡単容易に行なうことができる。
【図面の簡単な説明】
【図１】本発明の携帯用杖吊掛具の斜視図である。
【図２】同杖吊掛具の折畳み状態を示す斜視図である。
【図３】同杖吊掛具の使用状態を示す説明図である。
【符号の説明】
１              携帯用杖吊掛具
２              杖吊掛具本体
２１            前壁部
２２            後壁部
２３            上部連結部
３              フック体
４              フック体
【図１】
2004290648.tif 000003
【図２】
2004290648.tif 000004
【図３】
2004290648.tif 000005